(57)【要約】【課題】  簡単な構成により、異なる幅サイズの原稿を混載時の斜行を防止することができる原稿搬送装置、及びこの原稿搬送装置を備えた画像形成装置を提供することを目的とする。【解決手段】  原稿載置手段３１に異なる幅サイズの原稿Ｇ１、Ｇ２を混載したとき、幅サイズの小さい原稿Ｇ１の幅方向の中心Ｃ１よりずれた位置で、かつ、カーソル３３ａ、３３ｂのうち、原稿載置手段３１に混載した全ての原稿Ｇ１、Ｇ２の幅方向の基準となる側のカーソル３３ａとは逆側に原稿付勢手段８を設け、原稿付勢手段８により、原稿載置手段３１に混載された原稿Ｇ１、Ｇ２を、原稿Ｇ１、Ｇ２の自重によって基準となる側のカーソル３３ａに沿わせるように形成する。【選択図】  図３
2006182504.tif 000002
【特許請求の範囲】
【請求項１】
原稿を載置する原稿載置手段と、前記原稿載置手段の幅方向の中心付近に配設された原稿給紙部と、前記原稿載置手段に載置された前記原稿の幅方向の位置を位置付けるため、前記幅方向に移動可能に設けられた一対のカーソルを有する位置付け手段と、を備えた原稿搬送装置において、
前記原稿載置手段に異なる幅サイズの原稿を混載したとき、幅サイズの小さい原稿の幅方向の中心よりずれた位置で、かつ、前記カーソルのうち、前記原稿載置手段に混載した全ての前記原稿の幅方向の基準となる側のカーソルとは逆側に原稿付勢手段を設け、前記原稿付勢手段により、前記原稿載置手段に混載された前記原稿を、前記原稿の自重によって前記基準となる側のカーソルに沿わせるように形成したことを特徴とする原稿搬送装置。
【請求項２】
前記原稿付勢手段は、前記原稿載置手段の原稿載置面に対して突出可能に形成されている付勢片を有することを特徴とする請求項１に記載の原稿搬送装置。
【請求項３】
前記付勢片は、前記原稿載置手段の幅方向に移動可能に形成されていることを特徴とする請求項２に記載の原稿搬送装置。
【請求項４】
前記原稿付勢手段を複数個具備し、前記原稿付勢手段は、前記原稿載置手段の幅方向の異なる位置に夫々配設されていることを特徴とする請求項１又は請求項２に記載の原稿搬送装置。
【請求項５】
前記付勢片を前記原稿載置手段の原稿載置面に対して突出するように駆動する駆動手段と、幅サイズの異なる複数の前記原稿を混載する混載モード信号が入力され、前記混載モード信号に基づいて前記駆動手段の駆動を決定する制御手段を更に備え、前記制御手段は、入力された前記混載モード信号に基づいて前記駆動手段を制御することを特徴とする請求項２に記載の原稿搬送装置。
【請求項６】
請求項１乃至請求項５のいずれかに記載の原稿搬送装置を備えることを特徴とする画像形成装置。
【発明の詳細な説明】
【技術分野】
【０００１】
本発明は、複写機等の画像形成装置やファクシミリ装置等において、原稿を自動的に給紙するための原稿搬送装置に係り、特に、異なる幅サイズの原稿を混載時の斜行を防止することができる原稿搬送装置、及びこの原稿搬送装置を備えた画像形成装置に関する。
【背景技術】
【０００２】
一般に、複写機等の画像形成装置やファクシミリ装置等には、原稿載置手段に載置した原稿を、一枚ずつ自動的に画像読取手段に搬送するために、原稿を載置する原稿載置手段と、原稿を給紙する原稿給紙部と、原稿の幅方向を規制する一対のカーソルを有する位置付け手段等から構成した原稿搬送装置を備えたものがある。
【０００３】
このような原稿搬送装置において、原稿載置手段に異なる幅サイズの原稿を混載したとき、特に幅サイズの小さい原稿は、幅方向を規制する位置付け手段のカーソルにより規制されないことから、カーソルに沿って搬送されず、斜行することがある。
【０００４】
従来、この対策として、例えば、原稿の搬送方向片側に偏位した位置に給紙ローラを、又、原稿載置手段の原稿の搬送方向片側に原稿突き当て板を設け、原稿載置手段の中間付近を原稿搬送方向に平行な折り目に沿って“く”字形に上方に折り曲げるとともに、原稿載置手段の後端部の隅部分を折り目に沿って斜め上向きに折り曲げて形成したものがある。（例えば、特許文献１参照）。
【特許文献１】特許２００２−１２８２８３号公報
【発明の開示】
【発明が解決しようとする課題】
【０００５】
ところが、上述の特許文献１記載の構成によれば、異なる幅サイズの原稿を混載時には、ある程度の効果は期待できるが、幅方向の両端を規制する一対のカーソルを有する位置付け手段がないため、同一幅サイズの原稿（以下、「通常モード」という）を対象とする際、どうしても給紙が不安定となる。又、原稿搬送方向に平行な折り目に沿って“く”字形に上方に折り曲げた部分で、原稿同士の摩擦が増加するため、給紙不良の原因となることがある。更には、斜め上向きの折り曲部分が、後端部の隅部分であるため、幅サイズの小さい原稿には対応できない等といった不都合がある。
【０００６】
本発明は、上述した課題を解決するためになされたものであり、簡単な構成により、異なる幅サイズの原稿を混載時の斜行を防止することができる原稿搬送装置、及びこの原稿搬送装置を備えた画像形成装置を提供することを目的とする。
【課題を解決するための手段】
【０００７】
上記目的を達成するために、請求項１記載の発明では、原稿を載置する原稿載置手段と、原稿載置手段の幅方向の中心付近に配設された原稿給紙部と、原稿載置手段に載置された原稿の幅方向の位置を位置付けるため、幅方向に移動可能に設けられた一対のカーソルを有する位置付け手段と、を備えた原稿搬送装置において、原稿載置手段に異なる幅サイズの原稿を混載したとき、幅サイズの小さい原稿の幅方向の中心よりずれた位置で、かつ、カーソルのうち、原稿載置手段に混載した全ての原稿の幅方向の基準となる側のカーソルとは逆側に原稿付勢手段を設け、原稿付勢手段により、原稿載置手段に混載された原稿を、原稿の自重によって基準となる側のカーソルに沿わせるように形成する。
【０００８】
請求項２記載の発明では、原稿付勢手段は、原稿載置手段の原稿載置面に対して突出可能に形成されている付勢片を有する。
請求項３記載の発明では、付勢片は、原稿載置手段の幅方向に移動可能に形成されている。
【０００９】
請求項４記載の発明では、原稿付勢手段を複数個具備し、原稿付勢手段は、原稿載置手段の幅方向の異なる位置に夫々配設されている。
請求項５記載の発明では、付勢片を原稿載置手段の原稿載置面に対して突出するように駆動する駆動手段と、幅サイズの異なる複数の原稿を混載する混載モード信号が入力され、混載モード信号に基づいて駆動手段の駆動を決定する制御手段を更に備え、制御手段は、入力された混載モード信号に基づいて駆動手段を制御する。
【００１０】
請求項６記載の発明では、請求項１乃至請求項５のいずれかに記載の原稿搬送装置を備えた画像形成装置である。
【発明の効果】
【００１１】
請求項１記載の発明の構成によれば、原稿載置手段に混載された幅サイズの異なる原稿は、原稿付勢手段により、幅サイズの小さい原稿の幅方向の中心よりずれた位置で、かつ、カーソルのうち、原稿載置手段に混載した全ての原稿の幅方向の基準となる側のカーソルとは逆側において原稿載置手段から持ち上げられる。従って、原稿載置手段に混載した全ての原稿は、基準となる側のカーソルに、原稿の自重で沿うように付勢されるので、原稿の斜行が防止される。しかも、その構成は、原稿載置手段を設けるのみであり、極めて簡単である。
【００１２】
請求項２記載の発明の構成によれば、混載モード時に、原稿載置手段の付勢片を原稿載置面に対して突出することにより、原稿の斜行を防止する。そして、通常モード時には、付勢片を原稿載置面に対して突出しないようにして、原稿にアンバランスな負荷を掛けることがなく、スムースな原稿搬送ができる。
【００１３】
請求項３記載の発明の構成によれば、付勢片は、原稿載置手段の幅方向に移動可能であり、混載する原稿の大きさに応じて最適な状態に設定でき、スムースな原稿搬送ができる。
【００１４】
請求項４記載の発明の構成によれば、原稿載置手段は、原稿載置手段の幅方向の異なる位置に複数個配設されているので、混載する大きさの異なる各原稿に最適な状態で対応することができ、スムースな原稿搬送ができる。
【００１５】
請求項５記載の発明の構成によれば、付勢片を原稿載置手段の原稿載置面に対して突出するように駆動する駆動手段と、幅サイズの異なる複数の原稿を混載する混載モード信号が入力され、混載モード信号に基づいて駆動手段の駆動を決定する制御手段を備えている。従って、原稿を原稿載置手段に載置する前、或いは後に、混載モードを選択することにより、自動的に付勢片が原稿載置面に対して突出するので、原稿のセット性が非常に良い。
【００１６】
請求項６記載の発明の構成によれば、請求項１乃至請求項５のいずれかに記載の原稿搬送装置を備える画像形成装置を構成しているため、上述した請求項１乃至請求項５に記載の原稿搬送装置と同じ効果を得ることが可能となる。
【発明を実施するための最良の形態】
【００１７】
（第１実施形態）
以下に、本発明の具体的な第１実施形態について図１を参照しながら説明する。図１は、本発明の第１実施形態に係る原稿搬送装置を用いた画像形成装置としての複写機に適用した場合の概略構成を示す概略構成図である。
【００１８】
図１に示す様に、この画像形成装置である複写機１は、原稿を自動的に画像読取手段２に搬送する原稿搬送装置３と、原稿の画像情報を読取る画像読取手段２と、被記録用紙Ｐに画像読取手段２により読取った画像を形成する画像形成手段４と、定着手段５と、被記録用紙Ｐが収納された給紙部６と、を備えている。また、被記録用紙Ｐを画像形成手段４、定着手段５を介して排紙部７１に搬送する用紙搬送手段７が形成されている。
【００１９】
画像読取手段２は、周知の通り、原稿搬送装置３から搬送されてきた原稿が、コンタクトガラス上を通過する際、通過する原稿に、露光ランプから光を照射し、反射鏡を介してその反射光をＣＣＤセンサ等からなる光電変換部に導くことにより、原稿の画像情報を流し読み取る。
【００２０】
原稿搬送装置３は、原稿を載置するための原稿載置手段３１と、原稿載置手段３１に積載された原稿を給紙する原稿給紙部と、給紙された原稿を搬送するための原稿給紙用搬送路と、読み終えた原稿を、排出する原稿排出部３２等を備えている。
【００２１】
給紙部６は、被記録用紙Ｐが収容された複数の給紙カセット６１を備えており、給紙ローラ６２の回転動作により、当該複数の給紙カセット６１のうち選択された給紙カセット６１から被記録用紙Ｐが用紙搬送手段７側に送り出されるように構成されている。この構成により、被記録用紙Ｐが１枚ずつ確実に用紙搬送手段７に給紙される。尚、これら給紙カセット６１は、複写機１に対し、着脱自在となるように構成されている。
【００２２】
用紙搬送手段７に給紙された被記録用紙Ｐは、用紙供給経路７２を経由して画像形成手段４に向けて搬送される。この画像形成手段４は、電子写真プロセスによって、被記録用紙Ｐに所定のトナー像を形成するものであり、所定の方向（図中の矢印方向）に回転可能に軸支された像端持体である感光体４１と、この感光体４１の周囲にその回転方向に沿って、帯電装置４２、露光装置４３、現像装置４４、転写装置４５、クリーニング装置４６、及び除電装置４７を備えている。
【００２３】
帯電装置４２は、高電圧が印加される帯電ワイヤを備えており、この帯電ワイヤからのコロナ放電によって感光体４１の表面に所定電位を与えることにより、感光体４１の表面が一様に帯電させられる。そして、露光装置４３により、画像読取手段２によって読み取られた原稿の画像データに基づく光が、感光体４１に照射されることにより、感光体４１の表面電位が選択的に減衰されて、この感光体４１の表面に静電潜像が形成される。次いで、現像装置４４により、静電潜像にトナーが付着し、感光体４１の表面にトナー像が形成され、転写装置４５により、感光体４１の表面のトナー像が、感光体４１と転写装置４５との間に供給された被記録用紙Ｐに転写される。
【００２４】
トナー像が転写された被記録用紙Ｐは、画像形成手段４から定着手段５に向けて搬送される。この定着手段５は、画像形成手段４の用紙搬送方向の下流側に配置されており、画像形成手段４においてトナー像が転写された被記録用紙Ｐは、定着手段５に設けられた加熱ローラ５１、及び当該加熱ローラ５１に押し付けられる加圧ローラ５２によって挟まれるとともに加熱され、被記録用紙Ｐ上にトナー像が定着される。次いで、画像形成手段４から定着手段５において画像形成がなされた被記録用紙Ｐは、排紙部７１上に排出される。一方、上記転写後、感光体４１の表面に残留しているトナーは、クリーニング装置４６により除去され、感光体４１の表面の残留電荷は、除電装置４７により除去される。そして、感光体４１は帯電装置４２によって再び帯電され、以下同様にして画像形成が行われることになる。
【００２５】
次に、図面を参照して原稿搬送装置３について説明する。図２は、本発明の第１実施形態に係る複写機における原稿搬送装置の概略斜視図、図３は、図２に示す原稿搬送装置の平面図である。図に示す様に、本実施形態に係る原稿搬送装置３の原稿載置手段３１は、図において左側から右側の後端に向かって上方に所定の角度(載置角度)を持って傾斜して延びる原稿テーブル３１２と、リフト板３１３と、このリフト板３１３に係合するとともに、原稿テーブル３１２の上面に載るように配設された橋絡部３１１とから形成されている。リフト板３１３は、原稿載置量に合わせて上下に可動可能に形成されている。リフト板３１３には、原稿載置手段３１上に載置された原稿の幅方向の位置を所定の位置に位置付けるための位置付け手段３３が配設されている。この位置付け手段３３は、リフト板３１３の幅方向に往復移動可能に装着された一対のカーソル３３ａ、３３ｂを有する。原稿載置手段３１の先端側で、原稿載置手段３１の幅方向の中心Ｃ付近には、原稿載置手段３１上に載置された原稿を搬送するための原稿給紙部３４が配設されている。
【００２６】
位置付け手段３３は、詳述しないが、例えば、各カーソル３３ａ、３３ｂの下面に摺動片（不図示）を夫々設け、リフト板３１３に幅方向に延びて形成された案内溝（不図示）に各々嵌合せしめ、その案内溝に沿って往復動し得るように構成されている。又、摺動片の下面に、一対のラックと、案内溝間においてリフト板３１３に回転自在に装着されたピニオンを用いて、一対のカーソル３３ａ、３３ｂの一方のカーソル３３ａを内方（又は外方）に移動せしめると、一方のラック、ピニオン及び他方のラックを介して他方のカーソル３３ｂも内方（又は外方）に移動するように構成しても良い。
【００２７】
次に、本発明の特徴部分にかかる原稿付勢手段の構成について、図４乃至図６に基づいて説明する。図４は、図２に示す原稿搬送装置の要部拡大斜視図で、原稿付勢手段を原稿載置手段の原稿載置面に対して突出した状態を示す。図５は、図３をＹ−Ｙ方向に断面した拡大断面図、図６は、図５における原稿付勢手段を倒した状態を示す拡大断面図である。
【００２８】
本発明に従い、原稿載置手段３１には、原稿載置手段３１に混載された原稿、例えば、Ｂ５版横の原稿Ｇ１と、Ａ４版横の原稿Ｇ２等を混載時に、全ての原稿Ｇ１、Ｇ２の幅方向の基準となる側のカーソル３３ａに、原稿の自重で沿わせる原稿付勢手段８を設ける。この原稿付勢手段８は、原稿載置手段３１に異なる幅サイズの原稿Ｇ１、Ｇ２等を混載したとき、幅サイズの小さい原稿Ｇ１の幅方向の中心Ｃ１よりずれた位置で、かつ、カーソル３３ａ、３３ｂのうち、原稿載置手段３１に混載した全ての原稿Ｇ１、Ｇ２の幅方向の基準となる側のカーソル３３ａとは逆側に配設する。この構成により、原稿載置手段３１に原稿Ｇ１、Ｇ２を混載する際、原稿Ｇ１、Ｇ２の先端及び基準となるカーソル３３ａ側の辺を揃えてセットすると、全ての原稿Ｇ１、Ｇ２は、原稿の自重で幅方向の基準となる側のカーソル３３ａに沿うこととなる。
【００２９】
本実施形態では、原稿付勢手段８は、付勢片８２と、この付勢片８２の一端側に形成された回転軸（不図示）と、他端側に形成された係止突起（不図示）とが一体的に形成されている。そして、回転軸が、橋絡部３１１に設けられた方形状の切り欠き部３１４に形成された装着部、例えば、係合孔（不図示）に挿入され、回転軸を中心にして図５及び図６に示すように回転可能に装着されている。又、係止突起は、付勢片８２を倒したとき（図６参照）、橋絡部３１１の切り欠き部３１４の一部分に係止しするように形成されている。この構成により、付勢片８２を倒したときの状態が確実となり、都合が良い。
【００３０】
以上の構成において、原稿載置手段３１に異なる幅サイズの原稿Ｇ１、Ｇ２等を混載する際には、予め、図６の状態で、切り欠き部３１４に指を入れ、付勢片８２を立てる様に、回転軸を中心にして付勢片８２を回転すると、付勢片８２は、図５に示すように、原稿載置手段３１の原稿載置面３１Ｐに対して突出した状態で固定される。又、この状態から、同一幅の原稿、例えば、Ａ４版横の原稿Ｇ２を原稿載置手段３１に載置する際には、上記操作とは逆に付勢片８２を指で倒し、図６に示すように、付勢片８２が切り欠き部３１４に収まった状態にする。
【００３１】
以上の通り、本実施形態によれば、原稿載置手段３１に混載された幅サイズの異なる原稿、例えば、原稿Ｇ１、Ｇ２は、原稿付勢手段８により、幅サイズの小さい原稿Ｇ１の幅方向の中心Ｃ１よりずれた位置で、かつ、カーソル３３ａ、３３ｂのうち、原稿載置手段３１に混載した全ての原稿Ｇ１、Ｇ２の幅方向の基準となる側のカーソル３３ａとは逆側において原稿載置手段３１から持ち上げられる。従って、原稿載置手段３１に混載した全ての原稿Ｇ１、Ｇ２は、基準となる側のカーソル３３ａに、原稿の自重で沿うように付勢されるので、原稿Ｇ１、Ｇ２の斜行が防止される。しかも、その構成は、原稿付勢手段８を設けるのみであり、極めて簡単である。
【００３２】
又、混載モード時に、原稿付勢手段８の付勢片８２を原稿載置面３１Ｐに対して突出することにより、原稿Ｇ１、Ｇ２の斜行を防止する。そして、通常モード時には、付勢片８２を原稿載置面３１Ｐに対して突出しないようにして、原稿にアンバランスな負荷を掛けることがなく、スムースな原稿搬送ができる。
【００３３】
（第２実施形態）
次に、本発明の第２実施形態について図７及び図８を参照しながら説明する。図７及び図８は、何れも本発明の第２実施形態に係る原稿テーブルと原稿付勢手段とを示す要部斜視図である。なお、図７及び図８において、上述した図１乃至図６と同じ符号を付した部分は、略同一のものを示すため、ここでは詳細な説明は省略する。以下、上述した実施形態との相違点を中心に説明する。
【００３４】
本実施形態では、原稿付勢手段８は、上述の実施形態と同様、円柱状の胴部（不図示）と、この胴部に一体的に形成された付勢片８２と、胴部の軸方向両端に設けられた回転軸（不図示）から構成されている。そして、図７及び図８に示す様に、回転軸が、橋絡部３１１に設けられた長方形の切り欠き部３１５の幅方向に沿って設けられた装着部、例えば、長溝８６に挿入装着され、付勢片８２を手で持って、原稿載置手段３１の幅方向(矢印Ｘ)に往復移動可能に形成されている。
【００３５】
以上の構成において、原稿載置手段３１に異なる幅サイズの原稿を載置する場合で、しかも、その幅が小さい原稿を含む場合には、例えば、図７に示すように、付勢片８２を、幅方向の中央側に移動する。又、逆に、その幅が小さい原稿を含まない場合には、図８に示すように、付勢片８２を、幅方向の外側に移動する。更に、その中間の任意の位置に付勢片８２を移動することができる。
【００３６】
以上の構成による本実施形態によれば、上述した実施形態と同様、原稿載置手段に混載した全ての原稿は、基準となる側のカーソルに、原稿の自重で沿うように付勢されるので、原稿の斜行が防止される。しかも、付勢片８２は、原稿載置手段の幅方向に移動可能であり、混載する原稿の大きさに応じて最適な状態に設定でき、スムースな原稿搬送ができる。
【００３７】
（第３実施形態）
次に、本発明の第３実施形態について図９を参照しながら説明する。図９は、本発明の第３実施形態に係る原稿載置手段を示す斜視図である。なお、図９において、上述した図１乃至図８と同じ符号を付した部分は、略同一のものを示すため、ここでは詳細な説明は省略する。以下、上述した実施形態との相違点を中心に説明する。
【００３８】
本実施形態では、上述の実施形態と同様、円柱状の胴部（不図示）と、この胴部に一体的に形成された付勢片８２と、胴部の軸方向両端に設けられた回転軸（不図示）と、から構成された原稿付勢手段８を複数個具備している。原稿付勢手段８は、図９に示すように、原稿載置手段３１の幅方向の異なる位置、例えば、幅方向の中央側と、外側に夫々配設されている。
【００３９】
以上の構成による本実施形態によれば、上述した実施形態と同様、原稿載置手段３１に混載した全ての原稿は、基準となる側のカーソル３３ａに、原稿の自重で沿うように付勢されるので、原稿の斜行が防止される。しかも、原稿付勢手段８は、原稿載置手段３１の幅方向の異なる位置に複数個配設されているので、混載する大きさの異なる各原稿に最適な状態で対応することができ、スムースな原稿搬送ができる。
【００４０】
（第４実施形態）
次に、本発明の第４実施形態について図１０乃至図１３を参照しながら説明する。図１０は、本発明の第４実施形態に係る原稿搬送装置を用いた画像形成装置としての複写機の概略構成を示すブロック図、図１１は、原稿付勢手段の一例を示す概略斜視図である。図１２及び図１３は、何れも本発明の第４実施形態に係る原稿テーブルと原稿付勢手段とを示す要部斜視図である。なお、図１０乃至図１３において、上述した図１乃至図９と同じ符号を付した部分は、略同一のものを示すため、ここでは詳細な説明は省略する。以下、上述した実施形態との相違点を中心に説明する。
【００４１】
図１０に示すように複写機１には、画像読取手段２、原稿搬送装置３、画像形成手段４、定着手段５、給紙部６、用紙搬送手段７、各種入力キースイッチ等として機能する操作表示部９１および複写機１全体の制御を司る制御手段９が備えられている。この制御手段９によって、後述するように駆動手段１０の駆動制御が行われる。操作表示部９１は、印刷指示入力用のプリントキー、印刷枚数等の入力用のテンキー等からなる操作部と、複写機１で操作可能な各機能、用紙詰まり等のトラブル状況等を表示する液晶パネル等の表示装置とを備えている。
【００４２】
制御手段９は、複写機１本体の制御プログラムや条件を記憶するＲＯＭや、一時的にデータを保管および画像読取手段２で得られた原稿の画像データを記憶し、また、作業領域として用いられるＲＡＭが内蔵されたマイクロコンピュータ等から構成されている。そして、制御手段９は、操作表示部９１の図示しないスタートキーが押圧されると、複写動作を行わせる制御信号を画像読取手段２、原稿搬送装置３、画像形成手段４、定着手段５、給紙部６および用紙搬送手段７の各ブロックに出力してその動作を制御する。
【００４３】
又、制御手段９には、後述するように原稿付勢手段８を駆動するために、原稿載置手段３１に載置される原稿モード、例えば、異なる幅サイズの複数の原稿を混載した混載モード信号に基づいて、駆動手段１０の駆動を決定する。又、制御手段９は、入力された混載モード信号に基づいて駆動手段１０を制御する。
【００４４】
この駆動手段１０は、本実施形態では、回転駆動軸１１を具備した、例えば、パルス信号を加えることにより、一定の角度だけ回転するステッピングモータ等が用いられる。この駆動手段１０の回転駆動軸１１の先端側に、半円形上の付勢片８２を備えた原稿付勢手段８が装着されている。
【００４５】
原稿付勢手段８は、橋絡部３１１の原稿載置面３１Ｐの裏面側に配設されているとともに、橋絡部３１１の原稿付勢手段８の付勢片８２が対応する部分に切り欠き３１６が形成されている。そして、付勢片８２は、駆動手段１０により、原稿載置面３１Ｐより突出しない状態（図１２参照）から、原稿載置面３１Ｐより突出する状態（図１３参照）に駆動される。
【００４６】
駆動手段１０は、制御手段９によって制御される。そして、制御手段９は、操作表示部９１の、例えば、幅サイズの異なる原稿を混載する混載モードを指示する混載モード指示ボタン９２が押圧されると、当該指示された混載モード信号に基づいて、駆動手段１０の駆動を決定し、駆動手段１０を制御する。
【００４７】
次に、上述した駆動手段１０による原稿付勢手段８の動作について説明する。先ず、ユーザにおいて、例えば、コピー操作の際に、原稿載置手段３１に載置された原稿が、異なる幅サイズの原稿である場合、原稿載置手段３１に原稿を載置する前、或いは載置後に、操作表示部９１の混載モード指示ボタン９２を押圧する。この押圧により、制御手段９に混載モード信号が入力され、制御手段９は、当該混載モード信号に基づいて、駆動手段１０の駆動を決定し、駆動手段１０を制御する。これにより、駆動手段１０が回転し、回転駆動軸１１に装着された原稿付勢手段８の付勢片８２が、原稿載置面３１Ｐより突出する。従って、原稿載置手段３１に混載した全ての原稿、或いはその後混載される全ての原稿は、原稿の自重で基準となる側のカーソルに沿うようになる。その後、コピーボタンが押圧されて、画像形成が行われる。
【００４８】
以上の構成による本実施形態によれば、上述した実施形態と同様、原稿載置手段３１に混載した全ての原稿が、基準となる側のカーソルに、原稿の自重で沿うように付勢されるので、原稿の斜行が防止される。
【００４９】
更に、原稿を原稿載置手段３１に載置する前、或いは後に、混載モードを選択することにより、自動的に付勢片８２が原稿載置面に対して突出するので、原稿のセット性が非常に良い。
【００５０】
なお、上述した各実施形態は、本発明の好適な実施形態であるが、本発明はこれに限定されるものではなく、本発明の要旨を逸脱しない範囲において、種々変形実施可能である。
【００５１】
例えば、上述した各実施形態では、複写機を例に挙げて説明したが、本発明は、例えばファクシミリ装置や、コピー機能、プリンタ機能、スキャナ機能及びファクシミリ機能等の各種機能を兼ね備えた複合機等に対しても適用可能である。
【００５２】
また、本実施形態においては、ドラム状の感光体４１を使用しているが、感光体４１の形状には限定はなく、上述したドラム状以外の公知の形状を用いることができる。例えば、シート状、ベルト状、ウェブ状等の形状が挙げられる。
【００５３】
また、上述した第４実施形態では、駆動手段１０として、ステッピングモータを用いたが、これに換えて、ソレノイドを用いて、付勢片８２を上下動することにより、付勢片８２を、原稿載置面３１Ｐより突出するようにしても良いのは、勿論である。
【産業上の利用可能性】
【００５４】
本発明の活用例としては、原稿を自動的に給紙するための原稿搬送装置、及びこの原稿搬送装置を備えた画像形成装置が挙げられる。
【図面の簡単な説明】
【００５５】
【図１】本発明の第１実施形態に係る原稿搬送装置を用いた画像形成装置としての複写機に適用した場合の概略構成を示す概略構成図である。
【図２】本発明の第１実施形態に係る複写機における原稿搬送装置の概略斜視図である。
【図３】図２に示す原稿搬送装置の平面図である。
【図４】図２に示す原稿搬送装置の要部拡大斜視図で、原稿付勢手段を原稿載置手段の原稿載置面に対して突出した状態を示す。図である。
【図５】図３をＹ−Ｙ方向に断面した側拡大断面図ある。
【図６】図５における原稿付勢手段を倒した状態を示す拡大断面図ある。
【図７】本発明の第２実施形態に係る原稿テーブルと原稿付勢手段とを示す要部斜視図である。
【図８】本発明の第２実施形態に係る原稿テーブルと原稿付勢手段とを示す要部斜視図である。
【図９】本発明の第３実施形態に係る原稿載置手段を示す斜視図である。
【図１０】本発明の第４実施形態に係る原稿搬送装置を用いた画像形成装置としての複写機の概略構成を示すブロック図である。
【図１１】原稿付勢手段の一例を示す概略斜視図である。
【図１２】本発明の第４実施形態に係る原稿テーブルと原稿付勢手段とを示す要部斜視図である。
【図１３】本発明の第４実施形態に係る原稿テーブルと原稿付勢手段とを示す要部斜視図である。
【符号の説明】
【００５６】
３…原稿搬送装置、８…原稿付勢手段、９…制御手段、１０…駆動手段、３１…原稿載置手段、３１Ｐ…原稿載置面、３３…位置付け手段、３３ａ…カーソル、３３ｂ…カーソル、３４…原稿給紙部、８２…付勢片、Ｃ…中心、Ｃ１…中心、Ｇ１…原稿、Ｇ２…原稿
【図１】
2006182504.tif 000003
【図２】
2006182504.tif 000004
【図３】
2006182504.tif 000005
【図４】
2006182504.tif 000006
【図５】
2006182504.tif 000007
【図６】
2006182504.tif 000008
【図７】
2006182504.tif 000009
【図８】
2006182504.tif 000010
【図９】
2006182504.tif 000011
【図１０】
2006182504.tif 000012
【図１１】
2006182504.tif 000013
【図１２】
2006182504.tif 000014
【図１３】
2006182504.tif 000015